(57)【要約】【課題】  設置するための床面積が必要でなく、狭い場所でも使用が容易である、パーソナルコンピュータ等の端末機器に接続して使用する読み取り装置あるいは読み書き装置を提供する。【解決手段】  非接触型のデータキャリアに対して、非接触にて、データの読み取りを、あるいは、データの読み取りとデータの書き込みとを行うヘッド部と、該ヘッド部の動作を制御する制御部と、端末機器との接続を行うための接続端子部と、該接続端子部に支持され前記ヘッド部を保持固定する支持部とを、一体的にして備えたもので、支持部は、曲げ変形が自在で、変形した位置で固定できる、ホース状のもので、その内部に接続コードを配しており、前記ヘッド部は、それに非接触型のデータキャリアを保持固定して、読み取り、あるいは読み取りと書き込みを行う保持方式のものである。【選択図】  図１
2005266869.tif 000002
【特許請求の範囲】
【請求項１】
端末機器に外付けで接続して使用し、電磁誘導により電力が供給されて動作する方式の非接触型のデータキャリアに対し、少なくともデータの読み取りを行う読み取り装置であって、前記非接触型のデータキャリアに対して、非接触にて、データの読み取りを、あるいは、データの読み取りとデータの書き込みとを行うヘッド部と、該ヘッド部の動作を制御する制御部と、端末機器との接続を行うための接続端子部と、該接続端子部に支持され前記ヘッド部を保持固定する支持部とを、一体的にして備えたもので、前記支持部は、曲げ変形が自在で、変形した位置で固定できる、ホース状のもので、その内部に接続コードを配しており、前記ヘッド部は、それに非接触型のデータキャリアを保持固定して、読み取り、あるいは読み取りと書き込みを行う保持方式のものであることを特徴とする非接触型のデータキャリアの読み取り装置。
【請求項２】
請求項１に記載の非接触型のデータキャリアの読み取り装置であって、前記ヘッドは、クリップ状にして非接触型のデータキャリアを挟む挟持部を備えたものであることを特徴とする  非接触型のデータキャリアの読み取り装置。
【請求項３】
請求項２に記載の非接触型のデータキャリアの読み取り装置であって、前記挟持部は、ＩＣカードの両側を挟む、２つの内壁面にそれぞれ複数配設された、弾性体からなるヒゲ状物間に、非接触型のデータキャリアを挟み保持固定する方式のものであることを特徴とする非接触型のデータキャリアの読み取り装置。
【請求項４】
請求項１ないし３のいずれか１に記載の非接触型のデータキャリアの読み取り装置であって、前記制御部が接続端子部の近傍に該接続端子部と一体的に設けられていることを特徴とする非接触型のデータキャリアの読み取り装置。
【請求項５】
請求項１ないし４のいずれか１に記載の非接触型のデータキャリアの読み取り装置であって、指紋センサー等の生態認証部を接続端子部の近傍に該接続端子部と一体的に設けられていることを特徴とする非接触型のデータキャリアの読み取り装置。
【請求項６】
請求項１ないし５のいずれか１に記載の非接触型のデータキャリアの読み取り装置であって、非接触型のデータキャリアがＩＣカードであることを特徴とする非接触型のデータキャリアの読み取り装置。
【請求項７】
請求項１ないし５のいずれか１に記載の非接触型のデータキャリアの読み取り装置であって、端末機器がパーソナルコンピュータであることを特徴とする非接触型のデータキャリアの読み取り装置。
【発明の詳細な説明】
【技術分野】
【０００１】
本発明は、ＩＣカード等の非接触型のデータキャリアの読み取り装置に関し、特に、
パーソナルコンピュータ（以下、ＰＣあるいは単にパソコンとも言う）等の端末機器に接続して使用する読取装置に関する。
【背景技術】
【０００２】
近年、情報の機密性の面からＩＣカードが次第に普及されつつ中、読み書き装置（リーダライタ）と接触せずに情報の授受を行う非接触型のＩＣカードも使用されるようなってきた。
また、シート状ないし札状の非接触式のＩＣタグが、商品や包装箱等に付け、万引き防止や種々の物流システム等への利用が盛んに使用されるようになってきた。
【０００３】
一方、通信手段の進歩はめざましく、各用途に対応して種々開発されているが、特に、パーソナルコンピュータ等の端末機器を用いた通信手段において、最近では、通信手段の使用の許可のユーザ認証のためや、使用に対応した課金を行うため等により、ＩＣカードを記録媒体として用いることも行われるようになってきた。
この場合、端末機器へのＩＣカードからのデータの採り込み、あるいは、該採り込みとＩＣカードへのデータの書き込みは、所定の端末機器に外付けで接続される読み取り装置（リーダーとも言う）あるいは、読み書き装置（リーダーライターあるいはＲ／Ｗとも言う）にて、非接触方式で行われる。
【０００４】
従来、このようなパーソナルコンピュータ等の端末機器に接続して使用する、ＩＣカード等の非接触型のデータキャリアの読み取り装置あるいは読み書き装置として、立て掛け型、据置型等が用いられているが、これらはいずれも設置するための床面積が必要になり、狭い場所では使用が難しいという問題があった。
【発明の開示】
【発明が解決しようとする課題】
【０００５】
上記のように、最近では、通信手段の使用の許可のユーザ認証のためや、使用に対応した課金を行うため等により、ＩＣカード等を記録媒体として用いることも行われるようになってきており、その際、パーソナルコンピュータ等の端末機器に接続して使用する読み取り装置あるいは読み書き装置が用いられるが、現状では、これら読み取り装置あるいは読み書き装置は、いずれも設置するための床面積が必要になり、狭い場所では使用が難しく、その対応が求められていた。
本発明はこれに対応するもので、設置するための床面積が必要でなく、狭い場所でも使用が容易である、パーソナルコンピュータ等の端末機器に接続して使用する読み取り装置あるいは読み書き装置を提供しようとするものである。
【課題を解決するための手段】
【０００６】
本発明の非接触型のデータキャリアの読み取り装置は、端末機器に外付けで接続して使用し、電磁誘導により電力が供給されて動作する方式の非接触型のデータキャリアに対し、少なくともデータの読み取りを行う読み取り装置であって、前記非接触型のデータキャリアに対して、非接触にて、データの読み取りを、あるいは、データの読み取りとデータの書き込みとを行うヘッド部と、該ヘッド部の動作を制御する制御部と、端末機器との接続を行うための接続端子部と、該接続端子部に支持され前記ヘッド部を保持固定する支持部とを、一体的にして備えたもので、前記支持部は、曲げ変形が自在で、変形した位置で固定できる、ホース状のもので、その内部に接続コードを配しており、前記ヘッド部は、それに非接触型のデータキャリアを保持固定して、読み取り、あるいは読み取りと書き込みを行う保持方式のものであることを特徴とするものである。
そして、上記の非接触型のデータキャリアの読み取り装置であって、前記ヘッドは、クリップ状にして非接触型のデータキャリアを挟む挟持部を備えたものであることを特徴とするものであり、前記挟持部は、ＩＣカードの両側を挟む、２つの内壁面にそれぞれ複数配設された、弾性体からなるヒゲ状物間に、非接触型のデータキャリアを挟み保持固定する方式のものであることを特徴とするものである。
そしてまた、上記のいずれかの非接触型のデータキャリアの読み取り装置であって、前記制御部が接続端子部の近傍に該接続端子部と一体的に設けられていることを特徴とするものである。
また、上記のいずれかの非接触型のデータキャリアの読み取り装置であって、指紋センサー等の生態認証部を接続端子部の近傍に該接続端子部と一体的に設けられていることを特徴とするものである。
また、上記のいずれかの非接触型のデータキャリアの読み取り装置であって、非接触型のデータキャリアがＩＣカードであることを特徴とするものである。
また、上記のいずれかの非接触型のデータキャリアの読み取り装置であって、端末機器がパーソナルコンピュータであることを特徴とするものである。
尚、ここでは、読み取り装置は、少なくとも読み取りの機能を有するもので、読み取り機能と書き込み機能を有する読み取り書き込み装置も含むものとする。
そして、「ヘッド部の動作を制御する制御部」とは、データの読み取り動作、あるいはデータの読み取り動作とデータの書き込み動作等を制御する制御部という意味である。
また、ホース状とは、蛇腹状のものも含む。
また、「曲げ変形が自在で、変形した位置で固定できる、」とは、曲げ変形が自在で、変形したそれぞれの位置で固定でき、その状態でヘッドを保持できることを意味する。
【０００７】
（作用）
本発明の非接触型のデータキャリアの読み取り装置は、このような構成にすることにより、設置するための床面積が必要でなく、狭い場所でも使用が容易である、パーソナルコンピュータ等の端末機器に接続して使用する読み取り装置あるいは読み書き装置の提供を可能としている。
具体的には、電磁誘導により電力が供給されて動作する方式の非接触型のデータキャリアに対し、非接触にてデータの読み取りを行う、あるいは、データの読み取りとデータの書き込みとを行うヘッド部と、該ヘッド部の動作を制御する制御部と、端末機器との接続を行うための接続端子部と、該接続端子部に支持され前記ヘッド部を保持固定する支持部とを、一体的にして備えたもので、前記支持部は、曲げ変形が自在で、変形した位置で固定できる、ホース状のもので、その内部に接続コードを配しており、前記ヘッド部は、それに非接触型のデータキャリアを保持固定して、読み取り、あるいは読み取りと書き込みを行う保持方式のものであることにより、これを達成している。
詳しくは、支持部は、曲げ変形が自在で、変形した位置で固定できる、ホース状のもので、その内部に接続コードを配しており、且つ、ヘッド部は、それに非接触型のデータキャリアを保持固定して、読み取り、あるいは読み取りと書き込みを行う保持方式のものであることにより、直接パーソナルコンピュータ等の端末機器に接続端子部にて接続し、且つ接続された接続端子部を基に、支持部を変形させて、所望の位置においてヘッド部を支持して、該ヘッド部にて、ＩＣカード等の非接触データキャリアの読み込みあるいは読み込みと書き込みとを、行うことができるものとしている。
このため、設置するための床面積は不要となり、狭い場所でもその使用が容易となる。      
【０００８】
ヘッドとしては、クリップ状にして非接触型のデータキャリアを挟む挟持部を備えた形態のものが挙げられ、具体的には、挟持部は、ＩＣカードの両側を挟む、２つの内壁面にそれぞれ複数配設された、弾性体からなるヒゲ状物間に、非接触型のデータキャリアを挟み保持固定する方式のものが挙げられる。
【０００９】
制御部が接続端子部の近傍に該接続端子部と一体的に設けられている場合、使用する際には、パーソナルコンピュータ等の端末機器に接続固定された接続端子部にて一体的であり、支持部を曲げへ変形する際にも固定された状態とでき、破損しずらいものとし、また、ヘッド部に設けないため、ヘッド部を簡素化できる。
【００１０】
また、指紋センサー等の生態認証部を接続端子部の近傍に該接続端子部と一体的に設けられている形態を挙げることができる。
この場合には、パーソナルコンピュータ等の端末機器が通信手段により所定の処理を行う、あるいは所定の処理サービスを受ける際の、ＩＣカード等の非接触型のデータキャリアによるＩＤやパスワードによる利用者の認証に加え、利用者の生態による認証を行うことができ、これにより、利用者認証をより正確に行える。
【００１１】
特に、非接触型のデータキャリアがＩＣカードである場合には、また、端末機器がパーソナルコンピュータである場合には、汎用性、利便性の良いものにできる。
【発明の効果】
【００１２】
本発明は、上記のように、設置するための床面積が必要でなく、狭い場所でも使用が容易である、パーソナルコンピュータ等の端末機器に接続して使用する読み取り装置あるいは読み書き装置の提供を可能とした。
【発明を実施するための最良の形態】
【００１３】
本発明の非接触型のデータキャリアの読み取り装置の実施の形態例を図に基づいて説明する。
図１（ａ）は、本発明の非接触型のデータキャリアの読み取り装置の実施の形態の１例を示した概略構成図で、図１（ｂ）は図１（ａ）に示す非接触型のデータキャリアの読み取り装置の使用形態の１例を示した図で、図２はＩＣカードの回路の概略構成図で、図３はヘッドの挟持部を説明するための図である。
図１〜図３中、１１０はＲ／Ｗ（リーダーライター）、１１１は接続端子部、１１２は指紋センサー、１１３は制御部、１１４は支持部、１１５はヘッド、１１５Ａはコイル、１２０はＩＣカード、１２５はアンテナコイル、１３０はＩＣチップ、１３１は電源回路、１３２はメモリ、１３３は制御部、１３４は受信回路、１３５は送信回路、１５０はパーソナルコンピュータ、１５５はディスプレイ、１６０は台部（載置部とも言う）、２００は挟持部、２１０はＩＣカード、２２０、２２５は壁、２３０、２３５はヒゲ状物、２３７は合わせ部である。
【００１４】
はじめに、本発明の非接触型のデータキャリアの読み取り装置の実施の形態の１例を図１に基づいて説明する。
本例の非接触型のデータキャリアの読み取り装置は、インターネット等のネットワークに接続できるパーソナルコンピュータ等の端末機器に外付けで接続して使用され、電磁誘導により電力が供給されて動作する方式の非接触型のＩＣカード１２０に対し、データの読み取り、書き込みを行うＲ／Ｗ（リーダーライター）１１０である。
そして、図１（ａ）に示すように、非接触型のＩＣカード１２０の読み取りと書き込みとを行うヘッド部１１５と、該ヘッド部１１５の動作を制御する制御部１１３と、端末機器との接続を行うための接続端子部１１１と、該接続端子部１１１に支持されヘッド部１１５を保持固定する支持部１１４とを、一体的にして備え、更に、認証用の指紋センサー１１２を備えたものである。
【００１５】
支持部１１４は、曲げ変形が自在で、変形した位置で固定できる、ホース状のもので、その内部に接続コード（図示していない）を配しており、ヘッド部１１５は、それに電磁誘導により電力が供給されて動作する方式の非接触型のＩＣカード１２０を保持固定して、読み取り、あるいは読み取りと書き込みを行う保持方式のものである。
ヘッド１１５は、クリップ状にしてＩＣカード１２０を挟む挟持部（図３の２００）を備えたものである。
挟持部２００には、図３（ａ）に示すように、ＩＣカード２１０が挿入されていない場合は、挿入した際にＩＣカード２１０を挟む両面の壁２２０、２２５に、それぞれ、ＩＣカード２１０挿入側に凹むようにして、ゴム等からなる弾性体のヒゲ状物２３０、２３５を、ほぼ、両壁２２０、２２５間の中央位置にて合わせ、個別に設けている。
そして、ＩＣカード２１０を挿入する際には、図３（ｂ）に示すように、上記合わさったヒゲ状物２３０、２３５の合わせ部２３７を順次広げて、図３（ｃ）に示すように、ＩＣカード２１０は、複数の両側のヒゲ状物２３０、２３５に挟まれた状態で保持される。  両面の壁２２０、２２５間隔は、通信距離に合わせて決める。
接続端子部１１１は、パーソナルコンピュータ１５０等の端末機器の接続用端子部（図示していない）に接続固定される。
指紋センサー１１２は、端末機器の接続認証用あるいは、課金ための認証用等に使用される。
制御部１１３は、端末機器の指示のもと、ヘッド部１１５の読み込み、書き込み動作を制御するもので、接続端子部１１１の近傍に指紋センサー１１２を含めて、接続端子部１１１と一体的に設けられている。
指紋センサー１１２の認証用データの読み取りを行うものである。
【００１６】
本例の非接触型のデータキャリアの読み取り装置であるＲ／Ｗ１１０は、例えば、図１（ｂ）に示すように、パーソナルコンピュータ１５０の外付け用接続端子部に、本例の接続端子部１１１を接続固定して用いられ、曲げ変形が自在の支持部１１４により所望の位置でＩＣカード１２０をヘッド部１１５にて挟み保持しながら、パーソナルコンピュータ１５０の指示に従い、ヘッド部１１５はＩＣカード１２０に対し、読み込み、書き込みを行うものである。
このように、本例の非接触型のデータキャリアの読み取り装置であるＲ／Ｗ１１０は、台部１６０に直接設置するものでなく、いわばパーソナルコンピュータ１５０等の端末機器に保持させて固定するもので、設置するスペースのない場合や、狭い場所でもやその使用ができるものとしている。
【００１７】
本例で用いられるＩＣカード１２０は、電磁誘導により電力が供給されて動作する方式の非接触型のもので、ヘッド部１１５のコイル（図２の１１５Ａ）によりＩＣカード１３０への電力の供給と通信が行われる。
ヘッド部１１５とＩＣカード１３０との回路の概略構成は、図２に示すようになる。
ヘッド部１１５がＩＣカード１３０を挟持し、読み込み、書き込みを行う際には、ヘッド部１１５のコイル１１５Ａとアンテナコイル１２５とは電磁結合した状態となっている。
ヘッド部１１５のコイル１１５Ａからアンテナコイル１２５を介して電力が供給されて、電源回路が活性化され、各部へ電圧が供給された状態で、アンテナコイル１２５からの入力信号により、制御部１３３の管理のもと、メモリ１３１へアクセスされ、メモリからのデータの読み込み、メモリへのデータの書き込みが行われる。
読み込まれたメモリ１３２からのデータ信号は制御部１３３の管理のもと送信回路１３５へ送られ、更に、アンテナコイル１２５を経て、ヘッド部１１５側へと送られる。
ＩＣカード１２０において、アンテナコイル１２５もまた共振回路を構成しており、一定周波数の電波を送受信する。
一般的には、１２５ｋＨｚ（中波）、１３．５６ＭＨｚ、２．４５ＧＨｚ（マイクロ波）の周波数帯等が使用される。
【図面の簡単な説明】
【００１８】
【図１】図１（ａ）は、本発明の非接触型のデータキャリアの読み取り装置の実施の形態の１例を示した概略構成図で、図１（ｂ）は図１（ａ）に示す非接触型のデータキャリアの読み取り装置の使用形態の１例を示した図である。
【図２】ＩＣカードの回路の概略構成図である。
【図３】ヘッド部の挟持部を説明するための図である。
【符号の説明】
【００１９】
１１０              Ｒ／Ｗ（リーダーライター）
１１１              接続端子部
１１２              指紋センサー
１１３              制御部
１１４              支持部
１１５              ヘッド
１１５Ａ            コイル
１２０              ＩＣカード
１２５              アンテナコイル
１３０              ＩＣチップ
１３１              電源回路
１３２              メモリ
１３３              制御部
１３４              受信回路
１３５              送信回路
１５０              パーソナルコンピュータ
１５５              ディスプレイ
１６０              台部（載置部とも言う）
２００              挟持部
２１０              ＩＣカード
２２０、２２５      壁
２３０、２３５      ヒゲ状物
２３７              合わせ部
【図１】
2005266869.tif 000003
【図２】
2005266869.tif 000004
【図３】
2005266869.tif 000005